(57)【要約】【課題】サイフォンに詰まったゴミなどの異物をドレンで押し流すことができる中和装置およびそれを備えた潜熱回収式熱源機を提供する。【解決手段】中和装置１はドレン貯留槽１１と流路部材１２と中和槽１３とを備えている。流路部材１２は取込口１２ａと排出口１２ｂとを有しサイフォンを構成する。中和槽１３は取込口１２ａから取り込まれ排出口１２ｂから排出されたドレンＤが中和剤１５の少なくとも一部の表面に沿って下方に流れるように構成されている。ドレン貯留槽１１の本体部１１ａは内部に流路部材１２の取込口１２ａが開口している。立ち上がり部１１ｂは本体部１１ａに連通し、かつ本体部１１ａの高さ位置よりも上方に配置された部分を有する。立ち上がり部１１ｂは、本体部１１ａの上面ＵＳおよび側面ＳＳの少なくともいずれかの一部に接続されている。【選択図】図２
2016147236.tif 000002
【特許請求の範囲】
【請求項１】
ドレンを中和するための中和装置であって、
前記ドレンを貯留可能なドレン貯留槽と、
取込口と排出口とを有し、かつ前記取込口から上方へ延び上端部に達した後に下方に延びて前記排出口に達してサイフォンを構成する流路部材と、
前記排出口の下方に配置されたアルカリ性の中和剤を有し、前記取込口から取り込まれ前記排出口から排出された前記ドレンが前記中和剤の少なくとも一部の表面に沿って下方に流れるように構成された中和槽とを備え、
前記ドレン貯留槽は、
前記中和槽と隔てられ、かつ内部に前記流路部材の前記取込口が開口した本体部と、
前記本体部に連通し、かつ前記本体部の高さ位置よりも上方に配置された部分を有する立ち上がり部とを含み、
前記立ち上がり部は、前記本体部の上面および側面の少なくともいずれかの一部に接続されている、中和装置。
【請求項２】
前記流路部材の前記上端部は前記本体部の前記上面の高さ位置よりも上方に配置されている、請求項１に記載の中和装置。
【請求項３】
前記ドレンを検知可能なドレン検知部をさらに備え、
前記ドレン検知部は、前記ドレン貯留槽の内部において前記流路部材の前記上端部の高さ位置よりも下方であって前記排出口の高さ位置よりも上方に位置する前記ドレンを検知するように構成されている、請求項１または２に記載の中和装置。
【請求項４】
前記流路部材の最少の流路面積は前記立ち上がり部の最少の流路面積よりも小さい、請求項１〜３のいずれか１項に記載の中和装置。
【請求項５】
前記本体部および前記立ち上がり部は、同一の材料から一体的に形成されており、かつ上下方向に交差する方向から見てＬ字状に構成されている、請求項１〜４のいずれか１項に記載の中和装置。
【請求項６】
請求項１〜５のいずれか１項に記載の中和装置を備えた、潜熱回収式熱源機。
【発明の詳細な説明】
【技術分野】
【０００１】
本発明は、中和装置および潜熱回収式熱源機に関し、特に、ドレンを中和するための中和装置およびそれを備えた潜熱回収式熱源機に関するものである。
【背景技術】
【０００２】
熱源機の一例として、熱効率を高めるために、燃焼排気ガスの顕熱および潜熱（燃焼排気ガス中の水蒸気が保有している潜熱）を回収する熱交換器を備えたものが実用化されている。この潜熱回収可能な熱交換器を用いた場合、燃焼排気ガス中の水蒸気は潜熱を奪われることにより凝縮して結露するため、熱交換器に多量のドレン（結露水）が発生する。燃焼排気ガス中には窒素酸化物などが含まれるため、これがドレンに溶け込んでドレンは酸性となる。この酸性のドレンを中和するために中和装置が用いられている。中和装置にはドレンを中和するための中和剤が収容されている。
【０００３】
たとえば、特許第２９０３１４２号公報（特許文献１）には、中和剤が収容されたドレン容器（中和装置）が記載されている。このドレン容器は、潜熱回収可能な熱交換器にドレン排出管を介して接続されている。このドレン容器は、ドレン排出管が下方に向かって挿入されたドレン流入室と、ドレン流入室の上端部に連通しかつ中和剤が収容された貯留室と、貯留室の下端部に連通するサイフォンとを備えている。この貯留室に酸化マグネシウム、炭酸カルシウムの粒体からなる中和剤が収容されている。また、ドレン容器の上面にはドレン容器内に空気を取り込むための孔が形成されている。このドレン容器では、熱交換器で発生したドレンはドレン排出管およびドレン流入室を通って貯留室に流入する。そして、このドレンは貯留室において中和剤により中和された後にサイフォンにより排出される。
【先行技術文献】
【特許文献】
【０００４】
【特許文献１】特許第２９０３１４２号公報
【発明の概要】
【発明が解決しようとする課題】
【０００５】
上記公報に記載されたドレン容器では、熱交換器からドレン排出管を通ってドレン容器内に流入したゴミなどの異物がサイフォンに詰まることがある。このゴミなどの異物がサイフォンに詰まるとドレンをサイフォンから排出することができないという問題がある。なお、ドレンがサイフォンから排出されないと、ドレンはドレン排出管からドレン容器内に流入し続けるため、ドレンはドレン容器の上面に形成された孔からあふれ出る。
【０００６】
本発明は上記の課題に鑑みてなされたものであり、その目的は、サイフォンに詰まったゴミなどの異物をドレンで押し流すことができる中和装置およびそれを備えた潜熱回収式熱源機を提供することである。
【課題を解決するための手段】
【０００７】
本発明の中和装置は、ドレンを中和するためのものである。中和装置は、ドレン貯留槽と、流路部材と、中和槽とを備えている。ドレン貯留槽はドレンを貯留可能である。流路部材は取込口と排出口とを有し、かつ取込口から上方へ延び上端部に達した後に下方に延びて排出口に達してサイフォンを構成する。中和槽は排出口の下方に配置されたアルカリ性の中和剤を有し、取込口から取り込まれ排出口から排出されたドレンが中和剤の少なくとも一部の表面に沿って下方に流れるように構成されている。ドレン貯留槽は、本体部と、立ち上がり部とを含む。本体部は中和槽と隔てられ、かつ内部に流路部材の取込口が開口している。立ち上がり部は本体部に連通し、かつ本体部の高さ位置よりも上方に配置された部分を有する。立ち上がり部は、本体部の上面および側面の少なくともいずれかの一部に接続されている。
【０００８】
本発明の中和装置によれば、立ち上がり部は本体部の高さ位置よりも上方に配置された部分を有するため、ゴミなどの異物が流路部材に詰まることによりドレンが本体部からあふれると、立ち上がり部にドレンが流れ込むことでドレンの水位が上昇する。このため、ドレンのヘッド圧を高くすることができる。これにより、高いヘッド圧のドレンにより流路部材に詰まったゴミなどの異物を押し流すことができる。よって、流路部材の閉塞状態を解消することができる。また、立ち上がり部は、本体部の上面および側面の少なくともいずれかの一部に接続されている。このため、高いヘッド圧を得ながら、ゴミなどの異物を押し流す際のドレンの流量を抑えることができる。そのため、ドレンと中和剤との中和反応が不十分になることを抑制できる。これにより、中和装置１の中和性能への影響を抑えることができる。
【０００９】
上記の中和装置においては、流路部材の上端部は本体部の上面の高さ位置よりも上方に配置されている。このため、流路部材の上端部の高さ位置を高くすることにより、サイフォン起動時のヘッド圧を高くすることができる。
【００１０】
上記の中和装置は、ドレンを検知可能なドレン検知部をさらに備えている。ドレン検知部は、ドレン貯留槽の内部において流路部材の上端部の高さ位置よりも下方であって取込口の高さ位置よりも上方に位置するドレンを検知するように構成されている。このため、ドレン検知部によりドレン貯留槽の内部において流路部材の上端部の高さ位置よりも下方であって取込口の高さ位置よりも上方に位置するドレンを検知することができる。また、ドレン検知部が所定時間以上継続してドレンを検知したときに、流路部材のサイフォン動作が起動されていないと判定することができる。これにより、サイフォン起動不良を検知することができる。また、ドレン検知部が所定時間継続してドレンを検知しないときに、流路部材のサイフォン動作が停止されていないと判定することができる。これにより、サイフォン停止不良を検知することができる。
【００１１】
上記の中和装置においては、流路部材の最少の流路面積は立ち上がり部の最少の流路面積よりも小さい。このため、流路部材から排出されるドレンの流量を少なくすることができる。このため、ドレンと中和剤との中和量を確保できる。したがって、ドレンと中和剤との中和反応が不十分になることを抑制できる。
【００１２】
上記の中和装置においては、本体部および立ち上がり部は、同一の材料から一体的に形成されており、かつ上下方向に交差する方向から見てＬ字状に構成されている。したがって、本体部および立ち上がり部は同一の材料から一体的に形成されているため、本体部と立ち上がり部との接続部においてドレンが漏れることを防止できる。また、本体部および立ち上がり部は上下方向に交差する方向から見てＬ字状に構成されているため、上下方向に交差する方向から見て本体部の一方側のみに立ち上がり部が配置される。このため、本体部の一方側以外のスペースを立ち上がり部に妨げられずに使用することができる。これにより、本体部の上方のスペースを使用する際の自由度を向上できる。
【００１３】
本発明の潜熱回収式熱源機は、上記の中和装置を備えている。したがって、サイフォンに詰まったゴミなどの異物をドレンで押し流すことができる中和装置を備えた潜熱回収式熱源機を提供することができる。
【発明の効果】
【００１４】
以上説明したように本発明によれば、サイフォンに詰まったゴミなどの異物をドレンで押し流すことができる中和装置およびそれを備えた潜熱回収式熱源機を得ることができる。
【図面の簡単な説明】
【００１５】
【図１】本発明の実施の形態１における潜熱回収式熱源機の構成を概略的に示す概略図である。
【図２】本発明の実施の形態１における中和装置の構成を概略的に示す概略図である。
【図３】図２のＩＩＩ−ＩＩＩ線に沿う拡大断面図である。
【図４】図２のＩＶ−ＩＶ線に沿う拡大断面図である。
【図５】本発明の実施の形態１における中和装置においてドレンが中和される様子を概略的に示す概略図である。
【図６】本発明の実施の形態１における中和装置において中和剤が消耗した様子を概略的に示す概略図である。
【図７】本発明の実施の形態１における中和装置においてサイフォンに異物が詰まった状態を概略的に示す概略図である。
【図８】本発明の実施の形態１における中和装置においてサイフォンに詰まった異物が押し流された状態を概略的に示す概略図である。
【図９】本発明の実施の形態１における中和装置の変形例１の構成を概略的に示す概略図である。
【図１０】本発明の実施の形態１における中和装置の変形例１においてサイフォンに異物が詰まった状態を概略的に示す概略図である。
【図１１】本発明の実施の形態１における中和装置の変形例１においてサイフォンに詰まった異物が押し流された状態を概略的に示す概略図である。
【図１２】本発明の実施の形態１における中和装置の変形例２の構成を概略的に示す概略図である。
【図１３】本発明の実施の形態１における中和装置の変形例２のドレン貯留槽を側方から見た構成を概略的に示す概略図である。
【図１４】図１２のＸＩＶ−ＸＩＶ線に沿う拡大断面図である。
【図１５】本発明の実施の形態１における中和装置の変形例２においてサイフォンに異物が詰まった状態を概略的に示す概略図である。
【図１６】本発明の実施の形態１における中和装置の変形例２においてサイフォンに詰まった異物が押し流された状態を概略的に示す概略図である。
【図１７】本発明の実施の形態２における中和装置の構成を概略的に示す概略図である。
【図１８】本発明の実施の形態２における中和装置においてサイフォンが起動される状態を概略的に示す概略図である。
【図１９】本発明の実施の形態２における中和装置においてサイフォンが終了される状態を概略的に示す概略図である。
【図２０】本発明の実施の形態３における潜熱回収式熱源機の構成を概略的に示す概略図である。
【図２１】本発明の実施の形態３における中和装置の構成を概略的に示す概略図である。
【図２２】本発明の実施の形態３における制御部の構成を説明するための機能ブロック図である。
【図２３】本発明の実施の形態３における潜熱回収式熱源機の動作を示すフローチャートである。
【図２４】本発明の実施の形態３におけるドレン検知部がドレンを所定時間以上検知していない状態を概略的に示す概略図である。
【図２５】本発明の実施の形態３におけるドレン検知部がドレンを所定時間以上検知し続けている状態を概略的に示す概略図である。
【発明を実施するための形態】
【００１６】
以下、本発明の実施の形態について図に基づいて説明する。
（実施の形態１）
まず本発明の実施の形態１の潜熱回収式熱源機の構成について説明する。
【００１７】
図１を参照して、本実施の形態の潜熱回収式熱源機は、潜熱回収式の熱源機であり、熱源機で発生したドレンＤを回収し、排出可能に構成されている。潜熱回収式熱源機は、中和装置１と、ドレンタンク２と、水位検知手段３と、ドレン排出ポンプ４と、逆止弁５と、制御部６と、給湯側熱交換器２１と、風呂側熱交換器２２と、ドレン受け２３と、給湯配管２４ａと、給水配管２４ｂと、往き配管２５ａと、戻り配管２５ｂと、燃焼装置２６と、送風機２７とを主に有している。
【００１８】
中和装置１は、潜熱回収式熱源機で発生したドレンＤを中和するためのものである。中和装置１は、ドレンタンク２およびドレン受け２３に接続されており、ドレン受け２３で受けられた酸性のドレンＤを中和させた後に、ドレンタンク２内に供給できるよう構成されている。中和装置１の構成については後で詳しく説明する。
【００１９】
ドレンタンク２は、潜熱回収式熱源機で発生したドレンＤを貯留するためのものである。水位検知手段３は、ドレンタンク２内におけるドレンＤの水位を検知するためのものである。水位検知手段３は、ドレンタンク２内におけるドレンＤの水位が少なくとも高位および低位のいずれかにあることを検知可能である。この水位検知手段３は、ドレンタンク２内の低水位（Ｌ：低位）を検知するための電極部Ｌと、高水位（Ｈ：高位）を検知するための電極部Ｈとを有している。
【００２０】
ドレン排出ポンプ４は、ドレンタンク２に貯留されたドレンＤを機外に排出するためのものである。ドレン排出ポンプ４はドレンタンク２に接続されている。ドレン排出ポンプ４の下流側に逆止弁５が接続されていてもよい。この逆止弁５は、逆止弁５の上流側から下流側へのドレンＤの流れを許容し、下流側から上流側へのドレンＤの流れを許容しないよう構成されている。またドレンＤの排出先は、たとえば浴室防水パンなどの排出部などである。
【００２１】
制御部６は、水位検知手段３、ドレン排出ポンプ４の各々に電気的に接続されている。制御部６は水位検知手段３からのドレンＤの水位が高位以上であることの信号に基づいて、ドレンＤの水位が低位であることの信号が入力されるまでドレン排出ポンプ４を駆動するよう制御可能に構成されている。
【００２２】
給湯側熱交換器２１および風呂側熱交換器２２のそれぞれは、潜熱回収型の熱交換器である。潜熱回収型の熱交換器では、従来排出していた熱交換後のガスが二次熱交換器へ通されることで二次熱交換器内の水が予熱される。この過程で燃焼ガスの温度が６０℃程度まで下がることで、燃焼ガス中に含まれる水分が凝縮して潜熱を得ることができる。このため給湯側熱交換器２１は、一次熱交換器２１ａと、二次熱交換器２１ｂとを有している。また風呂側熱交換器２２は、一次熱交換器２２ａと、二次熱交換器２２ｂとを有している。一次熱交換器２１ａ，２２ａは燃焼ガスの顕熱を回収するためのものである。二次熱交換器２１ｂ，２２ｂは燃焼ガスの潜熱を回収するためのものである。
【００２３】
給湯側熱交換器２１において、一次熱交換器２１ａの一方端と二次熱交換器２１ｂの一方端とは互いに接続されている。一次熱交換器２１ａの他方端には給湯配管２４ａが接続されており、二次熱交換器２１ｂの他方端には給水配管２４ｂが接続されている。一次熱交換器２１ａが二次熱交換器２１ｂよりも燃焼装置２６の近くに配置されている。
【００２４】
また風呂側熱交換器２２においても、一次熱交換器２２ａの一方端と二次熱交換器２２ｂの一方端とは互いに接続されている。一次熱交換器２２ａの他方端には往き配管２５ａが接続されており、二次熱交換器２２ｂの他方端には戻り配管２５ｂが接続されている。一次熱交換器２２ａが二次熱交換器２２ｂよりも燃焼装置２６の近くに配置されている。往き配管２５ａおよび戻り配管２５ｂのいずれかには図示しない循環ポンプが接続されている。この循環ポンプにより往き配管２５ａおよび戻り配管２５ｂに湯水が循環される。
【００２５】
燃焼装置２６は、給湯側熱交換器２１および風呂側熱交換器２２との間で熱交換を行なうための燃焼ガスを発生させるためのものである。燃焼装置２６は燃焼ガスを供給可能に構成されている。燃焼装置２６はたとえばバーナである。送風機２７は燃焼装置２６に対して燃焼に必要な空気を供給するためのものである。送風機２７はたとえばファンである。
【００２６】
潜熱回収式の熱交換器では、上記のとおり燃焼ガスの水蒸気を凝縮させる構造上、凝縮した水（ドレン）が発生するためドレンの排水が必要である。このため、ドレン受け２３が、二次熱交換器２１ｂ、２２ｂのそれぞれの下側に配置されている。このドレン受け２３で受けられたドレンＤは、排気ガス中の窒素酸化物などが溶け込んでいるため、酸性となる。この酸性のドレンＤはドレン受け２３から中和装置１に供給される。
【００２７】
次に、図１および図２を参照して、本実施の形態の中和装置１の構成について詳しく説明する。
【００２８】
中和装置１は、ドレン貯留槽１１と、流路部材１２と、中和槽１３と、排出槽１４と、中和剤１５とを備えている。ドレン貯留槽１１はドレン受け２３から供給された酸性のドレンＤを一時的に貯留するためのものである。ドレン貯留槽１１は内部の空間にドレンＤを貯留可能に構成されている。ドレン貯留槽１１は内部の空間において部分的にドレンＤの水位を上昇可能に構成されている。
【００２９】
ドレン貯留槽１１は、本体部１１ａと、本体部１１ａに接続された立ち上がり部１１ｂとを含んでいる。ドレン貯留槽１１は本体部１１ａからあふれ出たドレンＤを立ち上がり部１１ｂに貯留するように構成されている。本体部１１ａと立ち上がり部１１ｂとは、一体に構成されていてもよく、また別個に構成されていてもよい。本実施の形態では、本体部１１ａと立ち上がり部１１ｂとは互いに別の部材で構成されている。
【００３０】
本体部１１ａは、上面ＵＳと、側面ＳＳとを有している。上面ＵＳは本体部１１ａの上端に配置されている。側面ＳＳは、上面ＵＳの外縁に接続されており、かつ上面ＵＳから下方に向かって延在している。
【００３１】
本体部１１ａは、上面ＵＳおよび側面ＳＳに取り囲まれた内部の空間に酸性のドレンＤを貯留可能に構成されている。本体部１１ａの内部の空間は、たとえば２０ｃｍ3の容積を有している。本体部１１ａは中和槽１３と隔てられている。本実施の形態では、本体部１１ａは中和槽１３の上面上に配置されている。ドレン貯留槽１１は中和槽１３の上方に配置されている。
【００３２】
立ち上がり部１１ｂは本体部１１ａに連通している。立ち上がり部１１ｂは、内部の空間にドレンＤを貯留可能に構成されている。立ち上がり部１１ｂは本体部１１ａの高さ位置よりも上方に配置された部分を有している。立ち上がり部１１ｂは、本体部１１ａからあふれ出たドレンＤを本体部１１ａの上面ＵＳよりも上方に貯留可能に構成されている。立ち上がり部１１ｂは、本体部１１ａの上面ＵＳの一部に接続されている。本実施の形態では、立ち上がり部１１ｂは本体部１１ａの上面ＵＳの一部のみに配置されている。立ち上がり部１１ｂは本体部１１ａの上面ＵＳおよび側面ＳＳのいずれかの一部に接続されていればよい。
【００３３】
立ち上がり部１１ｂの内部の空間の容積は、たとえばドレン貯留槽１１の内部の空間の全容積の１０％以下である。つまり、立ち上がり部１１ｂの内部の空間の容積は、本体部１１ａの内部の空間の容積よりも十分に小さい。立ち上がり部１１ｂの内部の空間は、たとえば２ｃｍ3の容積を有している。
【００３４】
本実施の形態では、立ち上がり部１１ｂは、本体部１１ａとドレン受け２３とを接続するドレン配管により構成されている。なお、立ち上がり部１１ｂは、ドレン受け２３に直接接続されていてもよく、またドレン受け２３との間に別の部材を介してドレン受け２３に接続されていてもよい。
【００３５】
流路部材１２はドレン貯留槽１１から中和槽１３にドレンＤを排出するためのものである。流路部材１２は取込口１２ａと排出口１２ｂとを有している。流路部材１２は取込口１２ａから上方へ延び上端部ＴＰに達した後に下方に延びて排出口１２ｂに達してサイフォンを構成する。このため、流路部材１２は、取込口１２ａからドレン貯留槽１１に貯留されたドレンＤを取り込んで、排出口１２ｂから一定量のドレンＤを中和槽１３に排出することができる。具体的には、サイフォンによる１回の排出で上端部ＴＰの高さ位置から取込口１２ａの高さ位置までのドレンＤを排出することができる。このため、流路部材１２は排出口１２ｂから排出されるドレンＤの流量を一定化することができる。また、流路部材１２は排出口１２ｂから排出されるドレンＤの流速を一定化することができる。
【００３６】
流路部材１２の取込口１２ａはドレン貯留槽１１の本体部１１ａの内部に開口するように配置されており、排出口１２ｂは中和槽１３の内部に開口するように配置されている。つまり、流路部材１２によってドレン貯留槽１１と中和槽１３とは連通している。
【００３７】
また、本実施の形態では流路部材１２はオリフィス１２ｃを有している。オリフィス１２ｃでは流路部材１２の内径の寸法が小さくなっている。つまり、オリフィス１２ｃでの流路部材１２の内径の寸法は、オリフィス１２ｃを挟む上流側の部分および下流側の部分の各々の流路部材１２の内径の寸法よりも小さくなっている。
【００３８】
流路部材１２はサイフォンを構成するものであればよく、たとえば管であってもよく、また成形による流路を有するものであってもよい。この管としては、たとえば円筒状のものであってもよく、矩形状のものであってもよい。また、この成形による流路を有するものとしては、たとえば、板材をプレス成形したり、樹脂成形により形成された凹部が流路を構成するものであってもよい。
【００３９】
中和槽１３は酸性のドレンＤを中和剤１５によって中和するためのものである。中和槽１３は中和剤１５を有している。具体的には、中和槽１３は内部の空間に中和剤１５を収容している。中和槽１３は、内部の空間において、酸性のドレンＤが中和剤１５と反応することにより酸性のドレンＤを中和するように構成されている。この中和槽１３は底面部１３ａを有している。この底面部１３ａは貫通孔１３ｂを有している。この底面部１３ａは貫通孔１３ｂから中和剤１５が脱落しないように構成されていればよい。この底面部１３ａはたとえば網で構成されていてもよい。また、この底面部１３ａは排出口１２ｂの下方に配置されている。
【００４０】
中和剤１５は、底面部１３ａに載置されている。中和剤１５は、流路部材１２の排出口１２ｂの下方に配置されている。本実施の形態では、中和剤１５の高さ方向の中央部に排出口１２ｂが配置されているため、中和剤１５は排出口１２ｂの上方にも配置されている。中和槽１３は、流路部材１２の取込口１２ａから取り込まれ排出口１２ｂから排出されたドレンＤが中和剤１５の少なくとも一部の表面に沿って下方に流れるように構成されている。
【００４１】
中和剤１５はアルカリ性である。つまり中和剤１５のｐＨ（水素イオン指数）の値は７よりも大きい。この中和剤１５は中和槽１３内に充填されている。中和剤１５は複数の粒状の材料から構成されていてもよい。この場合、複数の材料の粒径は、たとえば１ｍｍ以上３ｍｍ以下である。なお、中和剤１５は繊維状、塊状の材料から構成されていてもよい。また、中和剤１５は、ドレン流路部１５１と、ストック部１５２とを有している。このドレン流路部１５１はドレンＤと接触して反応するための部分である。このドレン流路部１５１はドレンＤが流れるように構成されている。このドレン流路部１５１は排出口１２ｂよりも下方に配置されている。
【００４２】
またストック部１５２は中和剤１５を保存するための部分である。このストック部１５２はドレンＤが流れないように構成されている。このストック部１５２はドレン流路部１５１の上方に配置されており、排出口１２ｂよりも上方に配置されている。したがってストック部１５２はドレンＤと接触しないためドレンＤと反応もしない。
【００４３】
中和剤１５には、酸化マグネシウムを用いることができる。酸化マグネシウムの体積あたりのアルカリ容量は炭酸カルシウムの約３倍であるため、炭酸カルシウムよりも容量あたりのアルカリ量を多くすることができる。このため、中和装置１を小型化することができる。
【００４４】
中和剤１５に酸化マグネシウムを用いた場合、潜熱回収式熱源機の寿命を考慮して、酸性のドレンＤと反応していない状態（初期状態）において、ドレン流路部１５１はたとえば１２８ｃｍ3の体積を有しており、ストック部１５２はたとえば１５５ｃｍ3の体積を有していることが好ましい。すなわち、出力２４号の潜熱回収式熱源機の寿命を１５年と設定すると、その間に発生するドレンの量はたとえば約９０００リットルとなる。このドレンを中和するのに必要な酸化マグネシウムの量は２７０ｇと見積もられる。ドレン流路部１５１の容積は１２８ｃｍ3（幅８ｃｍ×奥行き４ｃｍ×高さ４ｃｍ）に設定しており、また酸化マグネシウムのかさ密度は１．７４ｇ／ｃｍ3であるため、ドレン流路部１５１の酸化マグネシウムの量は２２２．７ｇとなる。したがって、必要な酸化マグネシウムの量は４９２．７ｇとなり、体積は合計で２８３ｃｍ3となる。よって、ドレン流路部１５１の体積は１２８ｃｍ3となり、ストック部１５２の体積は１５５ｃｍ3となる。また、中和剤１５には、水酸化カルシウム、炭酸マグネシウムなども用いることが可能である。
【００４５】
中和装置１は、流路部材１２の取込口１２ａから取り込まれ排出口１２ｂから排出されたドレンＤが中和剤１５の少なくとも一部の表面に沿って下方に流れた後に底面部１３ａの貫通孔１３ｂを通じて底面部１３ａの下方へ流れ落ちるように構成されている。また、貫通孔１３ｂを通じて底面部１３ａの下方に流れ落ちたドレンＤが中性になるように底面部１３ａと排出口１２ｂとの間に保持された中和剤１５の量が設定されている。
【００４６】
排出槽１４は内部の空間に貫通孔１３ｂから流れ落ちたドレンＤを収容可能に構成されている。排出槽１４は、このドレンＤをドレンタンク２に供給可能に構成されている。
【００４７】
続いて、図２〜図４を参照して、立ち上がり部１１ｂおよび流路部材１２の構成についてさらに詳しく説明する。図３および図４では、見やすくするため流路面積に斜線を付している。
【００４８】
図２および図３を参照して、立ち上がり部１１ｂは内周面に取り囲まれた流路を有している。立ち上がり部１１ｂの流路面積Ａ１は、立ち上がり部１１ｂの軸方向に直交する断面における立ち上がり部１１ｂの内周面により取り囲まれた領域の面積である。本実施の形態では、立ち上がり部１１ｂの流路面積Ａ１は、立ち上がり部１１ｂの軸方向において均一である。
【００４９】
図２および図４を参照して、流路部材１２は内周面に取り囲まれた流路を有している。流路部材１２の流路面積Ａ２は、流路部材１２の軸方向に直交する断面における流路部材１２の内周面により取り囲まれた領域の面積である。本実施の形態では、流路部材１２の流路面積Ａ２は、オリフィス１２ｃにおいて最少である。
【００５０】
図３および図４を参照して、流路部材１２の最少の流路面積Ａ２は、立ち上がり部１１ｂの最少の流路面積Ａ１よりも小さい。具体的には、流路部材１２のオリフィス１２ｃの流路面積Ａ２は、立ち上がり部１１ｂの均一の流路面積Ａ１よりも小さい。
【００５１】
次に、本実施の形態のドレン排出動作について説明する。
図１および図５を参照して、潜熱回収式熱源機が運転している場合には、給湯側熱交換器２１および風呂側熱交換器２２で発生しドレン受け２３に受けられた酸性のドレンＤが中和装置１に供給される。
【００５２】
中和装置１では、まずドレン貯留槽１１にドレン受け２３から供給された酸性のドレンＤが貯留される。ドレン貯留槽１１に貯留されたドレンＤの水位が上昇すると取込口１２ａから流路部材１２内にドレンＤが取り込まれる。ドレン貯留槽１１に貯留されたドレンＤの水位が流路部材１２の上端部ＴＰに達すると、取込口１２ａから流路部材１２内に取り込まれたドレンＤが上端部ＴＰを超えて排出口１２ｂに流れて排出口１２ｂから排出される。
【００５３】
このとき、流路部材１２がサイフォンを構成するため、ドレン貯留槽１１に貯留されたドレンＤの水位が取込口１２ａの高さ位置となるまでドレンＤが排出口１２ｂから排出される。このため、ドレン貯留槽１１に貯留されたドレンＤは、ドレンＤの水位が上端部ＴＰの高さ位置から取込口１２ａの高さ位置となるまで連続して排出される。このようにして、サイフォン作用により一定量のドレンＤが排出口１２ｂから排出される。
【００５４】
また排出口１２ｂがドレン流路部１５１の上方に開口しているためドレン流路部１５１の上方から下方に向かってドレンＤが流れる。具体的には、ドレンＤは中和剤１５の表面に沿って下方に流れ、底面部１３ａの貫通孔１３ｂから流れ落ちる。この際、中和剤１５とドレンＤとが接触して反応することによって、ドレンＤが中和される。中和剤１５によって中和され、貫通孔１３ｂから流れ落ちたドレンＤは、排出槽１４を経てドレンタンク２に供給される。
【００５５】
ドレンタンク２では、水位検知手段３により検出されるドレンタンク２内の水位が高水位（Ｈ）以上か否かが判別され、水位が高水位（Ｈ）以上になった場合には、ドレン排出ポンプ４がＯＮされて、ドレンタンク２内のドレンＤが排出される。このドレンＤの排出後、水位が低水位（Ｌ）未満になった場合には、ドレン排出ポンプ４がＯＦＦされて、ドレンタンク２内のドレンの排出が停止される。このようにして、潜熱回収式熱源機のドレンタンク２内の水位が制御される。
【００５６】
また、図５および図６を参照して、ドレン貯留槽１１に貯留された酸性のドレンＤが流路部材１２内を通って排出口１２ｂから排出されると、ドレン流路部１５１は酸性のドレンＤと反応することにより消耗する。これにより、ドレン流路部１５１にスペースが生じてドレン流路部１５１の体積が減少するが、ドレン流路部１５１の上方に位置するストック部１５２が自重により下方に移動して上記スペースが補填される。このようにして、酸性のドレンＤと接触して反応する部分の中和剤１５が自動的に補充される。これにより、ドレン流路部１５１の量を一定に保つことができるため、ドレンＤとドレン流路部１５１との反応量を一定に保つことができる。
【００５７】
続いて、図７および図８を参照して、サイフォンを構成する流路部材１２に詰まったゴミなどの異物ＯがドレンＤにより押し流される様子について説明する。
【００５８】
図７を参照して、ゴミなどの異物Ｏがサイフォンを構成する流路部材１２のオリフィス１２ｃの取込口１２ａ側に詰まると、流路部材１２の流路が閉塞される。そのため、ドレンＤはオリフィス１２ｃから排出口１２ｂ側に流れることができない。したがって、ドレンＤが本体部１１ａからあふれて立ち上がり部１１ｂに流入する。これにより、ドレンＤの水位が立ち上がり部１１ｂ内まで上昇する。このため、ドレンＤのヘッド圧は、ドレンＤの水位が流路部材１２の上端部ＴＰの高さ位置にある場合に比べて高くなる。この高いヘッド圧が流路部材１２に詰まったゴミなどの異物Ｏに作用する。
【００５９】
この結果、図８を参照して、この高いヘッド圧のドレンＤにより流路部材１２に詰まったゴミなどの異物Ｏがオリフィス１２ｃよりも排出口１２ｂ側に押し流される。このため、ドレンＤは排出口１２ｂから排出される。このとき、ドレンＤは、ドレンＤの水位が立ち上がり部１１ｂ内の高さ位置から取込口１２ａの高さ位置となるまで連続して排出される。
【００６０】
次に、図９〜図１１を参照して、本実施の形態の中和装置１の変形例１について説明する。以下、特に説明しない限り、上記の本実施の形態と同一の構成には同一の符号を付し、説明を繰り返さない。このことは、以下の変形例２、実施の形態２および３でも同様である。この変形例１は、立ち上がり部１１ｂの構成が上記の本実施の形態の中和装置１に比べて主に異なっている。
【００６１】
図９を参照して、この変形例１では、立ち上がり部１１ｂは、本体部１１ａの側面ＳＳの一部に接続されている。立ち上がり部１１ｂは、本体部１１ａの側面ＳＳから側方へ延びてから上方に延びている。立ち上がり部１１ｂは、本体部１１ａの上面ＵＳよりも上方に配置された部分を有している。
【００６２】
図１０を参照して、ゴミなどの異物Ｏがサイフォンを構成する流路部材１２のオリフィス１２ｃの取込口１２ａ側に詰まると、ドレンＤはオリフィス１２ｃから排出口１２ｂ側に流れることができないため、ドレンＤが本体部１１ａから立ち上がり部１１ｂに流入する。そして、ドレンＤの水位が立ち上がり部１１ｂの上方に延びた部分まで上昇する。これにより、ドレンＤのヘッド圧は、ドレンＤの水位が流路部材１２の上端部ＴＰの高さ位置にある場合に比べて高くなる。
【００６３】
図１１を参照して、この高いヘッド圧のドレンＤにより流路部材１２に詰まったゴミなどの異物Ｏがオリフィス１２ｃよりも排出口１２ｂ側に押し流される。このため、ドレンＤは排出口１２ｂから排出される。このとき、ドレンＤは、ドレンＤの水位が立ち上がり部１１ｂの上方に延びた部分の高さ位置から取込口１２ａの高さ位置となるまで連続して排出される。
【００６４】
次に、図１２〜図１６を参照して、本実施の形態の中和装置１の変形例２について説明する。この変形例２は、ドレン貯留槽１１の本体部１１ａおよび立ち上がり部１１ｂの構成が上記の本実施の形態の中和装置１に比べて主に異なっている。
【００６５】
図１２および図１３を参照して、この変形例２では、本体部１１ａおよび立ち上がり部１１ｂは、同一の材料から一体的に形成されている。本体部１１ａおよび立ち上がり部１１ｂは、たとえばポリプロピレンから形成されている。本体部１１ａおよび立ち上がり部１１ｂは、上下方向に交差する方向から見てＬ字状に構成されている。立ち上がり部１１ｂは、本体部１１ａの上面ＵＳの一方端に接続されている。立ち上がり部１１ｂは、本体部１１ａの上面ＵＳの一方端側に配置されており、一方端側に対向する他方端側には配置されていない。立ち上がり部１１ｂは、本体部１１ａの一方端と他方端とが対向する方向（対向方向）に交差する方向（交差方向）において本体部１１ａの上面ＵＳの両端に渡って延在している。本実施の形態では、中和装置１はドレン貯留槽１１とは別にドレン配管１１ｃを有している。このドレン配管１１ｃは立ち上がり部１１ｂに接続されている。なお、ドレン配管１１ｃは本体部１１ａに接続されていてもよい。
【００６６】
図１２および図１４を参照して、立ち上がり部１１ｂの流路面積Ａ３は、上記対向方向に交差する交差方向に沿って延在している。立ち上がり部１１ｂの流路面積Ａ３は上記対向方向に短辺を有しており、上記交差方向に長辺を有している。
【００６７】
図１５を参照して、ゴミなどの異物Ｏがサイフォンを構成する流路部材１２のオリフィス１２ｃの取込口１２ａ側に詰まると、ドレンＤはオリフィス１２ｃから排出口１２ｂ側に流れることができないため、ドレンＤが本体部１１ａから立ち上がり部１１ｂに流入する。そして、ドレンＤの水位が立ち上がり部１１ｂ内まで上昇する。これにより、ドレンＤのヘッド圧は、ドレンＤの水位が流路部材１２の上端部ＴＰの高さ位置にある場合に比べて高くなる。
【００６８】
図１６を参照して、この高いヘッド圧のドレンＤにより流路部材１２に詰まったゴミなどの異物Ｏがオリフィス１２ｃよりも排出口１２ｂ側に押し流される。このため、ドレンＤは排出口１２ｂから排出される。このとき、ドレンＤは、ドレンＤの水位が立ち上がり部１１ｂ内の高さ位置から取込口１２ａの高さ位置となるまで連続して排出される。
【００６９】
次に、本実施の形態の作用効果について説明する。
本実施の形態の中和装置１によれば、立ち上がり部１１ｂは本体部１１ａの高さ位置よりも上方に配置された部分を有するため、ゴミなどの異物Ｏが流路部材１２に詰まることによりドレンＤが本体部１１ａからあふれると、立ち上がり部１１ｂにドレンが流れ込むことでドレンＤの水位が上昇する。このため、ドレンＤのヘッド圧を高くすることができる。これにより、高いヘッド圧のドレンＤにより流路部材１２に詰まったゴミなどの異物Ｏを押し流すことができる。よって、流路部材１２の閉塞状態を解消することができる。
【００７０】
また、本実施の形態の中和装置１および変形例１に示すように、立ち上がり部１１ｂは、本体部１１ａの上面ＵＳおよび側面ＳＳの少なくともいずれかの一部に接続されている。このため、高いヘッド圧を得ながら、ゴミなどの異物Ｏを押し流す際のドレンＤの流量を抑えることができる。そのため、ドレンＤと中和剤１５との中和反応が不十分になることを抑制できる。これにより、中和装置１の中和性能への影響を抑えることができる。
【００７１】
また、本実施の形態の中和装置１においては、流路部材１２の最少の流路面積Ａ２は立ち上がり部１１ｂの最少の流路面積Ａ１よりも小さい。このため、流路部材１２から排出されるドレンＤの流量を少なくすることができる。このため、ドレンＤと中和剤１５との中和量を確保できる。ドレンＤと中和剤１５との中和反応が不十分になることを抑制できる。
【００７２】
また、本実施の形態の中和装置１の変形例２においては、本体部１１ａおよび立ち上がり部１１ｂは同一の材料から一体的に形成されているため、本体部１１ａと立ち上がり部１１ｂとの接続部においてドレンＤが漏れることを防止できる。また、本体部１１ａおよび立ち上がり部１１ｂは上下方向に交差する方向から見てＬ字状に構成されているため、上下方向に交差する方向から見て本体部１１ａの一方側のみに立ち上がり部１１ｂが配置される。このため、本体部１１ａの一方側以外のスペースを立ち上がり部に妨げられずに使用することができる。これにより、本体部１１ａの上方のスペースを使用する際の自由度を向上できる。
【００７３】
本実施の形態の潜熱回収式熱源機は、上記の中和装置１を備えている。したがって、サイフォンに詰まったゴミなどの異物ＯをドレンＤで押し流すことができる中和装置１を備えた潜熱回収式熱源機を提供することができる。
【００７４】
（実施の形態２）
図１７〜図１９を参照して、本発明の実施の形態２の中和装置１について説明する。本実施の形態の中和装置１は、ドレン貯留槽１１の本体部１１ａおよび流路部材１２の構成が実施の形態１の中和装置１に比べて主に異なっている。
【００７５】
図１７を参照して、本実施の形態の中和装置１では、流路部材１２の上端部ＴＰは本体部１１ａの上面ＵＳの高さ位置よりも上方に配置されている。つまり、流路部材１２のサイフォンの頂点が本体部１１ａの上面ＵＳの高さ位置よりも上方に位置している。具体的には、流路部材１２は、取込口１２ａから上方へ延びて本体部１１ａの上面ＵＳから上方に突出している。流路部材１２は、本体部１１ａの上面ＵＳから上方に突出して上端部ＴＰに達した後に下方に延びている。流路部材１２は、上端部ＴＰに達した後に下方に延び本体部１１ａの上面ＵＳから本体部１１ａの内部に入って排出口１２ｂに達している。
【００７６】
図１８を参照して、サイフォンを構成する流路部材１２の取込口１２ａからドレンＤを取り込んで排出口１２ｂから排出するためには、流路部材１２の上端部ＴＰの高さ位置までドレンＤの水位が上昇する必要がある。つまり、サイフォン起動時には流路部材１２の上端部ＴＰの高さ位置までドレンＤの水位が上昇する必要がある。本実施の形態では、流路部材１２の上端部ＴＰは本体部１１ａの上面ＵＳの高さ位置よりも上方に配置されているため、実施の形態１の中和装置１のように本体部１１ａ内に上端部ＴＰが配置されている場合よりもドレンＤのヘッド圧は高くなる。この高いヘッド圧が流路部材１２の流路に付着したゴミなどの異物Ｏに作用する。
【００７７】
図１９を参照して、本実施の形態の中和装置１では、サイフォン起動時に常に、この高いヘッド圧のドレンＤにより流路部材１２の流路に付着したゴミなどの異物Ｏが押し流される。このため、流路部材１２にゴミなどの異物Ｏが詰まることにより流路部材１２が狭窄状態となることを抑制できる。このとき、ドレン貯留槽１１に貯留された酸性のドレンＤの水位が取込口１２ａの高さ位置となるまで酸性のドレンＤが排出口１２ｂから排出される。このため、ドレン貯留槽１１に貯留された酸性のドレンＤは、ドレンＤの水位が上端部ＴＰの高さ位置から取込口１２ａの高さ位置となるまで連続して排出される。
【００７８】
次に、本実施の形態の作用効果について説明する。
本実施の形態の中和装置１においては、流路部材１２の上端部ＴＰは本体部１１ａの上面ＵＳの高さ位置よりも上方に配置されているため、流路部材１２の上端部ＴＰの高さ位置を高くすることにより、サイフォン起動時のヘッド圧を高くすることができる。したがって、サイフォン起動時に常に高いヘッド圧のドレンＤにより流路部材１２の流路に付着したゴミなどの異物Ｏが押し流される。このため、流路部材１２にゴミなどの異物Ｏが詰まることにより流路部材１２が狭窄状態となることを抑制できる。
【００７９】
（実施の形態３）
図２０〜図２５を参照して、本発明の実施の形態３の中和装置１について説明する。本実施の形態の中和装置１は、ドレン検知部ＤＲを備えている点で実施の形態１の中和装置１と主に異なっている。また、制御部６の構成が実施の形態１の制御部６に比べて異なっている。
【００８０】
図２０および図２１を参照して、本実施の形態の中和装置１は、ドレン検知部ＤＲを備えている。ドレン検知部ＤＲはドレンＤを検知可能に構成されている。ドレン検知部ＤＲはドレン貯留槽１１の内部において流路部材１２の上端部ＴＰの高さ位置よりも下方であって取込口１２ａの高さ位置よりも上方に位置するドレンＤを検知するように構成されている。
【００８１】
ドレン検知部ＤＲは、ドレンＤに接触するためのドレン電極Ｒと、グランド電位を提供するためのグランド電極Ｇとを有している。ドレン電極Ｒおよびグランド電極Ｇは、ドレン貯留槽１１の上面ＵＳからドレン貯留槽１１の内部に延びている。ドレン電極Ｒの先端は、流路部材１２の上端部ＴＰの高さ位置よりも下方であって取込口１２ａの高さ位置よりも上方に位置するように配置されている。つまり、ドレン電極Ｒの先端は、流路部材１２の上端部ＴＰの高さ位置と取込口１２ａの高さ位置との間Ｂに配置されている。グランド電極Ｇの先端は、流路部材１２の取込口１２ａの高さ位置よりも下方に位置するように配置されている。
【００８２】
制御部６は、ドレン検知部ＤＲ、燃焼装置２６の各々に電気的に接続されている。制御部６は、燃焼装置２６の燃焼時間およびドレン検知部ＤＲからの信号に基づいて燃焼装置２６の燃焼を停止するよう制御可能に構成されている。なお、制御部６は、水位検知手段３、ドレン排出ポンプ４の各々にも電気的に接続されている。
【００８３】
図２０および図２２を参照して、本実施の形態の中和装置１の制御部６の構成について詳しく説明する。制御部６は、制御手段６ａと、ドレン判定手段６ｂと、燃焼判定手段６ｃと、水位判定手段６ｄと、タイマ６ｅと、記憶手段６ｆとを主に有している。
【００８４】
制御手段６ａは、ドレン判定手段６ｂ、燃焼判定手段６ｃからの判定結果およびタイマ６ｅ、記憶手段６ｆからの信号に基づいてサイフォン動作を判定可能に構成されており、燃焼装置２６の動作を制御可能に構成されている。また、制御手段６ａは、水位判定手段６ｄからの判定結果に基づいてドレン排出ポンプ４の動作を制御可能に構成されている。
【００８５】
ドレン判定手段６ｂは、ドレン検知部ＤＲからの信号に基づいてドレンＤの有無を判定するためのものである。具体的には、ドレン判定手段６ｂは、ドレン電極Ｒとグランド電極ＧとがドレンＤにより導通したことを示す信号に基づいてドレンＤが有ると判定する。燃焼判定手段６ｃは、燃焼装置２６の燃焼状態または非燃焼状態を判定するためのものである。水位判定手段６ｄは、水位検知手段３からの信号に基づいてドレンＤの水位を判定するためのものである。タイマ６ｅは時間を測定し時間に基づく信号を制御手段６ａに送るためのものである。記憶手段６ｆは、ドレン判定手段６ｂによりドレンが有ると判定された回数などを記憶するためのものである。
【００８６】
次に、図２０〜図２５を参照して、本実施の形態のサイフォンの動作不良を検知する状態について説明する。
【００８７】
図２０および図２３を参照して、まず潜熱回収式熱源機の燃焼装置２６の燃焼がスタートする（ステップＳ１）。そして、燃焼装置２６で発生した燃焼ガスが二次熱交換器２１ｂ，２２ｂで熱交換される際にドレンＤが発生する。ドレン受け２３からドレン貯留槽１１にドレンＤが流入する（ステップＳ２）。
【００８８】
図２１、図２２および図２３を参照して、タイマ６ｅは燃焼装置２６の燃焼時間を計測する。また、タイマ６ｅはドレン検知部ＤＲがドレンＤを検知しない状態（ＯＦＦ状態）の継続時間を計測する。具体的には、ドレン検知部ＤＲのドレン電極Ｒとグランド電極ＧとがドレンＤにより導通されるまでの時間が計測される。そして、ドレン検知部ＤＲのＯＦＦ状態が所定時間以上か否かが判別される（ステップＳ３）。
【００８９】
燃焼装置２６の燃焼時間によりドレンＤの発生量が決まるため、燃焼装置２６の燃焼時間に基づいてドレン検知部ＤＲがドレンＤを検知するまでの時間を予め設定することが可能である。この時間よりもドレン検知部ＤＲのＯＦＦ状態が長く継続すればサイフォンが停止していないものと判断可能である。このため、この時間よりも長い所定時間（第１の所定時間）を設定して、ドレン検知部ＤＲのＯＦＦ状態が所定時間（第１の所定時間）以上の場合には、サイフォンが停止していないものと判定する。つまり、ドレン検知部ＤＲのＯＦＦ状態が所定時間（第１の所定時間）以上の場合には、サイフォン停止不良と判定される（ステップＳ４）。この場合にはエラー状態であるとして制御手段６ａが燃焼装置２６の燃焼を停止させる。
【００９０】
図２４を参照して、サイフォン停止不良と判定された状態では、流路部材１２の上端部ＴＰまでドレンＤの水位が上昇する前にドレンＤが少しずつ排出される。したがって、サイフォンにより一定量のドレンが連続して排出されない。このため、サイフォンの動作回数によりドレンＤの排出量を測定することができない。
【００９１】
再び図２１、図２２および図２３を参照して、ドレン検知部ＤＲのＯＦＦ状態が上記所定時間（第１の所定時間）未満の場合には、サイフォンが正常に停止しているものと判断可能である。タイマ６ｅは燃焼装置２６の燃焼時間を計測する。また、タイマ６ｅはドレン検知部ＤＲがドレンＤを検知した状態（ＯＮ状態）の継続時間を計測する。具体的には、ドレン検知部ＤＲのドレン電極Ｒとグランド電極ＧとのドレンＤによる導通が解除されるまでの時間が計測される。そして、ドレン検知部ＤＲのＯＮ状態が所定時間以上か否かが判別される（ステップＳ５）。
【００９２】
燃焼装置２６の燃焼時間によりドレンＤの発生量が決まるため、燃焼装置２６の燃焼時間に基づいてドレン検知部ＤＲがドレンＤを検知してからサイフォンによりドレンＤが排出されるまでの時間を予め設定することが可能である。この時間よりもドレン検知部ＤＲのＯＮ状態が長く継続すればサイフォンが起動していないものと判断可能である。このため、この時間よりも長い所定時間（第２の所定時間）を設定して、ドレン検知部ＤＲのＯＮ状態が所定時間（第２の所定時間）以上の場合には、サイフォンが起動していないものと判定する。つまり、ドレン検知部ＤＲのＯＮ状態が所定時間（第２の所定時間）以上の場合には、サイフォン起動不良と判定される（ステップＳ６）。この場合にはエラー状態であるとして制御手段６ａが燃焼装置２６の燃焼を停止させる。
【００９３】
図２５を参照して、サイフォン起動不良と判定された状態では、ドレンＤの水位が流路部材１２の上端部ＴＰを超えてもドレンＤが排出されない。つまり、サイフォンにゴミなどの異物Ｏが詰まってサイフォンが閉塞している。また、ドレン検知部ＤＲのＯＮ状態が所定時間（第２の所定時間）未満の場合には、サイフォンは正常に動作していると判定される（ステップＳ７）。
【００９４】
次に、本実施の形態の作用効果について説明する。
本実施の形態の中和装置１によれば、ドレン検知部ＤＲによりドレン貯留槽１１の内部において流路部材１２の上端部ＴＰの高さ位置よりも下方であって取込口１２ａの高さ位置よりも上方に位置するドレンＤを検知することができる。また、ドレン検知部ＤＲが所定時間（第２の所定時間）以上継続してドレンＤを検知したときに、流路部材１２のサイフォン動作が起動されていないと判定することができる。これにより、サイフォン起動不良を検知することができる。また、ドレン検知部ＤＲが所定時間（第１の所定時間）以上継続してドレンＤを検知しないときに、流路部材１２のサイフォン動作が停止されていないと判定することができる。これにより、サイフォン停止不良を検知することができる。
【００９５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９６】
１  中和装置、２  ドレンタンク、３  水位検知手段、４  ドレン排出ポンプ、５  逆止弁、６  制御部、６ａ  制御手段、６ｂ  ドレン判定手段、６ｃ  燃焼判定手段、６ｄ  水位判定手段、６ｅ  タイマ、６ｆ  記憶手段、１１  ドレン貯留槽、１１ａ  本体部、１１ｂ  立ち上がり部、１１ｃ  ドレン配管、１２  流路部材、１２ａ  取込口、１２ｂ  排出口、１２ｃ  オリフィス、１３  中和槽、１３ａ  底面部、１３ｂ  貫通孔、１４  排出槽、１５  中和剤、２１  給湯側熱交換器、２１ａ，２２ａ  一次熱交換器、２１ｂ，２２ｂ  二次熱交換器、２２  風呂側熱交換器、２４ａ  給湯配管、２４ｂ  給水配管、２５ａ  往き配管、２５ｂ  戻り配管、２６  燃焼装置、２７  送風機、１５１  ドレン流路部、１５２  ストック部、Ａ１，Ａ２，Ａ３  流路面積、Ｄ  ドレン、ＤＲ  ドレン検知部、Ｇ  グランド電極、Ｈ，Ｌ  電極部、Ｏ  異物、Ｒ  ドレン電極、ＳＳ  側面、ＴＰ  上端部、ＵＳ  上面。
【図１】
2016147236.tif 000003
【図２】
2016147236.tif 000004
【図３】
2016147236.tif 000005
【図４】
2016147236.tif 000006
【図５】
2016147236.tif 000007
【図６】
2016147236.tif 000008
【図７】
2016147236.tif 000009
【図８】
2016147236.tif 000010
【図９】
2016147236.tif 000011
【図１０】
2016147236.tif 000012
【図１１】
2016147236.tif 000013
【図１２】
2016147236.tif 000014
【図１３】
2016147236.tif 000015
【図１４】
2016147236.tif 000016
【図１５】
2016147236.tif 000017
【図１６】
2016147236.tif 000018
【図１７】
2016147236.tif 000019
【図１８】
2016147236.tif 000020
【図１９】
2016147236.tif 000021
【図２０】
2016147236.tif 000022
【図２１】
2016147236.tif 000023
【図２２】
2016147236.tif 000024
【図２３】
2016147236.tif 000025
【図２４】
2016147236.tif 000026
【図２５】
2016147236.tif 000027